(57)【要約】【課題】同種の硬貨を整列させて収納するコインケースにおいて、収納された硬貨をまとめて摘み易く、ケース本体からスムーズに硬貨を取り出すことができるコインケースを提供する。【解決手段】本考案に係るコインケースＡは、ケース本体１の対向する一対の壁体１ａ、１ｂを横断するように設けられた一または複数枚の仕切壁２と、該仕切壁２により区画されていると共に、複数枚の同種の硬貨ｃを、該硬貨の扁平面ｃ１が仕切壁２に平行であって硬貨ｃの厚さ方向に重ねて収納可能な複数の室３と、隣り合う室３、３’（３）に収納された硬貨ｃの内、一方の室３に収納された硬貨ｃの高さが、他方の室３’（３）に収納された硬貨ｃ’の高さと異なるように、隣り合う室３、３’（３）のいずれかの室の底部に底上部材４を設けたものである。【選択図】図１
0003148184.tif 000002
【実用新案登録請求の範囲】
【請求項１】
上部が開口し内部に複数枚の同種の硬貨を収納可能な略直方体状のケース本体と、
該ケース本体の対向する一対の壁体を横断するように設けられた一または複数枚の仕切壁と、
該仕切壁により区画されていると共に、前記複数枚の同種の硬貨を、該硬貨の扁平面が前記仕切壁に平行であって前記硬貨の厚さ方向に重ねて収納可能な複数の室と、
隣り合う室に収納された硬貨の内、一方の室に収納された硬貨の高さが、他方の室に収納された硬貨の高さと異なるように、前記隣り合う室のいずれかの室の底部に底上部材を設けたことを特徴とするコインケース。
【請求項２】
底上部材は、一対の壁体に平行であって隣り合う仕切壁の間を横断し、かつ、これら仕切壁に接続されていることを特徴とする請求項１記載のコインケース。
【請求項３】
仕切壁により区画された各室のそれぞれに収納可能な硬貨の枚数は、５の倍数であることを特徴とする請求項１または２記載のコインケース。
【請求項４】
ケース本体に取り付けられ、該ケース本体の開口部を開閉自在に覆う蓋体とを備え、
この蓋体は、底部に底上部材を有しない室にあっては、前記ケース本体内に収納された硬貨のがたつきを防止できるように、前記蓋体を閉じたときに前記硬貨に向かって突出する突出部を有していることを特徴とする請求項１〜３のいずれか１項に記載のコインケース。
【請求項５】
蓋体を閉じたとき、該蓋体の上面とケース本体の下面とが略平行であることを特徴とする請求項４記載のコインケース。
【請求項６】
ケース本体は透明または半透明な部材で形成されており、前記ケース本体の外表面には、各室のそれぞれに対応した部位に、前記ケース本体に収納されている硬貨の合計枚数に応じて前記硬貨の合計枚数または／および合計金額が表示されていることを特徴とする請求項１〜５記載のいずれか１項に記載のコインケース。
【請求項７】
上部が開口し内部に複数枚の硬貨を収納可能な略直方体状のケース本体と、
このケース本体には、少なくとも２組の対向する一対の壁体を有し、
この２組の対向する一対の壁体は、第１の一対の壁体と第２の一対の壁体であり、
前記第１の一対の壁体と前記第２の一対の壁体とは、一の壁体を共通にして隣接しており、
前記第１の一対の壁体を横断するように設けられた一または複数枚の第１の仕切壁と、
該第１の仕切壁により区画されていると共に、複数枚の同種の硬貨を、該硬貨の扁平面が前記第１の仕切壁に平行であって前記硬貨の厚さ方向に重ねて収納可能な複数の第１の室と、
隣り合う第１の室に収納された硬貨の内、一方の第１の室に収納された硬貨の高さが、他方の第１の室に収納された硬貨の高さと異なるように、前記隣り合う第１の室のいずれかの室の底部に第１の底上部材を設け、
前記第２の一対の壁体を横断するように設けられた一または複数枚の第２の仕切壁と、
該第２の仕切壁により区画されていると共に、複数枚の同種の硬貨を、該硬貨の扁平面が前記第２の仕切壁に平行であって前記硬貨の厚さ方向に重ねて収納可能な複数の第２の室と、
隣り合う第２の室に収納された硬貨の内、一方の第２の室に収納された硬貨の高さが、他方の第２の室に収納された硬貨の高さと異なるように、前記隣り合う第２の室のいずれかの室の底部に第２の底上部材を設けたことを特徴とするコインケース。
【請求項８】
第１の底上部材は、第１の一対の壁体に平行であって隣り合う第１の仕切壁の間を横断し、かつ、これら第１の仕切壁に接続され、
第２の底上部材は、第２の一対の壁体に平行であって隣り合う第２の仕切壁の間を横断し、かつ、これら第２の仕切壁に接続されていることを特徴とする請求項７記載のコインケース。
【請求項９】
第１の仕切壁により区画された第１の室のそれぞれに収納可能な硬貨の枚数、および、第２の仕切壁により区画された第２の室のそれぞれに収納可能な硬貨の枚数は、いずれも５の倍数であることを特徴とする請求項７または８記載のコインケース。
【請求項１０】
ケース本体に取り付けられ、該ケース本体の開口部を開閉自在に覆う蓋体とを備え、
この蓋体は、底部に第１および第２の底上部材のいずれをも有しない室にあっては、前記ケース本体内に収納された硬貨のがたつきを防止できるように、前記蓋体を閉じたときに前記硬貨に向かって突出する突出部を有していることを特徴とする請求項７〜９のいずれか１項に記載のコインケース。
【請求項１１】
蓋体を閉じたとき、該蓋体の上面とケース本体の下面とが略平行であることを特徴とする請求項１０記載のコインケース。
【請求項１２】
ケース本体は透明または半透明な部材で形成されており、前記ケース本体の外表面には、第１および第２の室のそれぞれに対応した部位に、前記ケース本体に収納されている同種の硬貨の合計枚数に応じて前記硬貨の合計枚数または／および合計金額が表示されていることを特徴とする請求項７〜１１のいずれか１項に記載のコインケース。
【考案の詳細な説明】
【技術分野】
【０００１】
本発明は、複数枚の硬貨を収納可能なコインケースに係り、特に仕切壁により区画された複数の室を有し、隣り合う室に収納された硬貨の内、一方の室に収納された硬貨の高さが、他方の室に収納された硬貨の高さと異なるように構成されたコインケースに関する。
【背景技術】
【０００２】
従来、複数枚の硬貨を収納可能なコインケースにあっては、例えば、枚数または／および合計金額を容易に数えることができるように、同種の硬貨を重ね合わせて収納し、重ね合わせた合計の厚さにより計数できるものが提案されていた。
【考案の開示】
【考案が解決しようとする課題】
【０００３】
しかしながら、上述したようなコインケースにあっては、硬貨を単に積み重ねているものであり、取り出す際には端部に位置する硬貨から順に取らなければならず、多数の硬貨を取り出す場合には面倒で使い勝手が悪く、加えて、硬貨の枚数を一枚づつ数えなければならないという問題点があった。
【０００４】
本発明は、上述した問題点を解決するためになされたものである。
【課題を解決するための手段】
【０００５】
請求項１に係る考案は、上部が開口し内部に複数枚の同種の硬貨を収納可能な略直方体状のケース本体と、該ケース本体の対向する一対の壁体を横断するように設けられた一または複数枚の仕切壁と、該仕切壁により区画されていると共に、前記複数枚の同種の硬貨を、該硬貨の扁平面が前記仕切壁に平行であって前記硬貨の厚さ方向に重ねて収納可能な複数の室と、隣り合う室に収納された硬貨の内、一方の室に収納された硬貨の高さが、他方の室に収納された硬貨の高さと異なるように、前記隣り合う室のいずれかの室の底部に底上部材を設けたコインケースである。
【０００６】
請求項２に係る考案は、請求項１記載のコインケースにおいて、底上部材は、一対の壁体に平行であって隣り合う仕切壁の間を横断し、かつ、これら仕切壁に接続されているものである。
【０００７】
請求項３に係る考案は、請求項１または２記載のコインケースにおいて、仕切壁により区画された各室のそれぞれに収納可能な硬貨の枚数は、５の倍数であるものである。
【０００８】
請求項４に係る考案は、請求項１〜３記載のコインケースにおいて、ケース本体に取り付けられ、該ケース本体の開口部を開閉自在に覆う蓋体とを備え、この蓋体は、底部に底上部材を有しない室にあっては、前記ケース本体内に収納された硬貨のがたつきを防止できるように、前記蓋体を閉じたときに前記硬貨に向かって突出する突出部を有しているものである。
【０００９】
請求項５に係る考案は、請求項４記載のコインケースにおいて、蓋体を閉じたとき、該蓋体の上面とケース本体の下面とが略平行であるものである。
【００１０】
請求項６に係る考案は、請求項１〜５記載のコインケースにおいて、ケース本体は透明または半透明な部材で形成されており、前記ケース本体の外表面には、各室のそれぞれに対応した部位に、前記ケース本体に収納されている硬貨の合計枚数に応じて前記硬貨の合計枚数または／および合計金額が表示されているものである。
【００１１】
請求項７に係る考案は、上部が開口し内部に複数枚の硬貨を収納可能な略直方体状のケース本体と、このケース本体には、少なくとも２組の対向する一対の壁体を有し、この２組の対向する一対の壁体は、第１の一対の壁体と第２の一対の壁体であり、前記第１の一対の壁体と前記第２の一対の壁体とは、一の壁体を共通にして隣接しており、前記第１の一対の壁体を横断するように設けられた一または複数枚の第１の仕切壁と、該第１の仕切壁により区画されていると共に、複数枚の同種の硬貨を、該硬貨の扁平面が前記第１の仕切壁に平行であって前記硬貨の厚さ方向に重ねて収納可能な複数の第１の室と、隣り合う第１の室に収納された硬貨の内、一方の第１の室に収納された硬貨の高さが、他方の第１の室に収納された硬貨の高さと異なるように、前記隣り合う第１の室のいずれかの室の底部に第１の底上部材を設け、前記第２の一対の壁体を横断するように設けられた一または複数枚の第２の仕切壁と、該第２の仕切壁により区画されていると共に、複数枚の同種の硬貨を、該硬貨の扁平面が前記第２の仕切壁に平行であって前記硬貨の厚さ方向に重ねて収納可能な複数の第２の室と、隣り合う第２の室に収納された硬貨の内、一方の第２の室に収納された硬貨の高さが、他方の第２の室に収納された硬貨の高さと異なるように、前記隣り合う第２の室のいずれかの室の底部に第２の底上部材を設けたコインケースである。
【００１２】
請求項８に係る考案は、請求項７記載のコインケースにおいて、第１の底上部材は、第１の一対の壁体に平行であって隣り合う第１の仕切壁の間を横断し、かつ、これら第１の仕切壁に接続され、第２の底上部材は、第２の一対の壁体に平行であって隣り合う第２の仕切壁の間を横断し、かつ、これら第２の仕切壁に接続されているものである。
【００１３】
請求項９に係る考案は、請求項７または８記載のコインケースにおいて、第１の仕切壁により区画された第１の室のそれぞれに収納可能な硬貨の枚数、および、第２の仕切壁により区画された第２の室のそれぞれに収納可能な硬貨の枚数は、いずれも５の倍数であるものである。
【００１４】
請求項１０に係る考案は、請求項７〜９記載のコインケースにおいて、ケース本体に取り付けられ、該ケース本体の開口部を開閉自在に覆う蓋体とを備え、この蓋体は、底部に第１および第２の底上部材のいずれをも有しない室にあっては、前記ケース本体内に収納された硬貨のがたつきを防止できるように、前記蓋体を閉じたときに前記硬貨に向かって突出する突出部を有しているものである。
【００１５】
請求項１１に係る考案は、請求項１０記載のコインケースにおいて、蓋体を閉じたとき、該蓋体の上面とケース本体の下面とが略平行であるものである。
【００１６】
請求項１２に係る考案は、請求項７〜１１記載のコインケースにおいて、ケース本体は透明または半透明な部材で形成されており、前記ケース本体の外表面には、第１および第２の室のそれぞれに対応した部位に、前記ケース本体に収納されている同種の硬貨の合計枚数に応じて前記硬貨の合計枚数または／および合計金額が表示されているものである。
【考案の効果】
【００１７】
請求項１に記載のコインケースによれば、ケース本体の対向する一対の壁体を横断するように設けられた一または複数枚の仕切壁と、該仕切壁により区画されていると共に、複数枚の同種の硬貨を、該硬貨の扁平面が前記仕切壁に平行であって前記硬貨の厚さ方向に重ねて収納可能な複数の室と、隣り合う室に収納された硬貨の内、一方の室に収納された硬貨の高さが、他方の室に収納された硬貨の高さと異なるように、前記隣り合う室のいずれかの室の底部に底上部材を設けたため、隣り合う室の硬貨の高さが異なっている分、各室ごとに収納された硬貨をまとめて摘み易く、ケース本体からスムーズに硬貨を取り出すことができる。
【００１８】
請求項２に記載の考案によれば、請求項１記載のコインケースの効果に加え、底上部材は、一対の壁体に平行であって隣り合う仕切壁の間を横断し、かつ、これら仕切壁に接続されているため、簡易な構成でケース本体の底上げをして収納する硬貨の高さを容易に変えることができ、しかも、該底上部材の接続により仕切壁の補強をすることができる。
【００１９】
請求項３に記載の考案によれば、請求項１または２記載のコインケースの効果に加え、仕切壁により区画された各室のそれぞれに収納可能な硬貨の枚数は、５の倍数であるため、摘み上げることができる枚数に区切りが良い分、硬貨の取り扱いが容易になり、使い勝手が向上する。
【００２０】
請求項４に記載の考案によれば、請求項１〜３記載のコインケースの効果に加え、ケース本体に取り付けられ、該ケース本体の開口部を開閉自在に覆う蓋体とを備え、この蓋体は、底部に底上部材を有しない室にあっては、前記ケース本体内に収納された硬貨のがたつきを防止できるように、前記蓋体を閉じたときに前記硬貨に向かって突出する突出部を有しているため、ケース本体内において、硬貨ががたついて傾倒したり、他の室に入込んでしまうのを防止することができる。
【００２１】
請求項５に記載の考案によれば、請求項４記載のコインケースの効果に加え、蓋体を閉じたとき、該蓋体の上面とケース本体の下面とが略平行であるため、コインケース外周の凹凸を減らして容易に持ち運びを行うことができる。
【００２２】
請求項６に記載の考案によれば、請求項１〜５記載のコインケースの効果に加え、ケース本体は透明または半透明な部材で形成されており、前記ケース本体の外表面には、各室のそれぞれに対応した部位に、前記ケース本体に収納されている硬貨の合計枚数に応じて前記硬貨の合計枚数または／および合計金額が表示されているため、ケース本体内に収納されている硬貨の合計枚数または／および合計金額を外部から容易にカウントすることができる。
【００２３】
請求項７に記載のコインケースによれば、ケース本体には、少なくとも２組の対向する一対の壁体を有し、第１の一対の壁体と第２の一対の壁体とは、一の壁体を共通にして隣接しており、前記第１の一対の壁体を横断するように設けられた一または複数枚の第１の仕切壁と、該第１の仕切壁により区画されていると共に、複数枚の同種の硬貨を、該硬貨の扁平面が前記第１の仕切壁に平行であって前記硬貨の厚さ方向に重ねて収納可能な複数の第１の室と、隣り合う第１の室に収納された硬貨の内、一方の第１の室に収納された硬貨の高さが、他方の第１の室に収納された硬貨の高さと異なるように、前記隣り合う第１の室のいずれかの室の底部に第１の底上部材を設け、前記第２の一対の壁体を横断するように設けられた一または複数枚の第２の仕切壁と、該第２の仕切壁により区画されていると共に、複数枚の同種の硬貨を、該硬貨の扁平面が前記第２の仕切壁に平行であって前記硬貨の厚さ方向に重ねて収納可能な複数の第２の室と、隣り合う第２の室に収納された硬貨の内、一方の第２の室に収納された硬貨の高さが、他方の第２の室に収納された硬貨の高さと異なるように、前記隣り合う第２の室のいずれかの室の底部に第２の底上部材を設けたため、隣り合う室の硬貨の高さが異なっている分、各室ごとに収納された硬貨をまとめて摘み易く、ケース本体からスムーズに硬貨を取り出すことができる。
【００２４】
請求項８に記載の考案によれば、請求項７記載のコインケースの効果に加え、第１の底上部材は、第１の一対の壁体に平行であって隣り合う第１の仕切壁の間を横断し、かつ、これら第１の仕切壁に接続され、第２の底上部材は、第２の一対の壁体に平行であって隣り合う第２の仕切壁の間を横断し、かつ、これら第２の仕切壁に接続されているため、簡易な構成でケース本体の底上げをして収納する硬貨の高さを容易に変えることができ、しかも、第１の底上部材の接続により第１の仕切壁を、第２の底上部材の接続により第２の仕切壁を補強することができる。
【００２５】
請求項９に記載の考案によれば、請求項７または８記載のコインケースの効果に加え、第１の仕切壁により区画された第１の室のそれぞれに収納可能な硬貨の枚数、および、第２の仕切壁により区画された第２の室のそれぞれに収納可能な硬貨の枚数は、いずれも５の倍数であるため、摘み上げることができる枚数に区切りが良い分、硬貨の取り扱いが容易になり、使い勝手が向上する。
【００２６】
請求項１０に記載の考案によれば、請求項７〜９記載のコインケースの効果に加え、蓋体は、底部に第１および第２の底上部材のいずれをも有しない室にあっては、ケース本体内に収納された硬貨のがたつきを防止できるように、前記蓋体を閉じたときに前記硬貨に向かって突出する突出部を有しているため、ケース本体内において硬貨ががたついて傾倒したり、他の室に入込んでしまうのを防止することができる。
【００２７】
請求項１１に記載の考案によれば、請求項１０記載のコインケースの効果に加え、蓋体を閉じたとき、該蓋体の上面とケース本体の下面とが略平行であるため、コインケース外周の凹凸を減らして容易に持ち運びを行うことができる。
【００２８】
請求項１２に記載の考案によれば、請求項７〜１１記載のコインケースの効果に加え、ケース本体は透明または半透明な部材で形成されており、前記ケース本体の外表面には、第１および第２の室のそれぞれに対応した部位に、前記ケース本体に収納されている同種の硬貨の合計枚数に応じて前記硬貨の合計枚数または／および合計金額が表示されているため、ケース本体内に収納されている各種それぞれの硬貨の合計枚数または／および合計金額を外部から容易にカウントすることができる。
【考案を実施するための最良の形態】
【００２９】
本考案の第１の実施例を、図１〜図７を参照して説明する。図１〜図７において、Ａは本考案に係るコインケースであり、複数枚の硬貨を整理して収納するもので、概略的に、ケース本体１と、仕切壁２と、室３と、底上部材４とにより構成されている。
【００３０】
ケース本体１は、上部が開口し内部に複数枚の同種の硬貨ｃ、ｃ、・・・を収納可能な略直方体状のもので、例えば、汎用のプラスチック材料で形成されている。
【００３１】
仕切壁２は、図１および図２に示したように、例えば、長手形状のケース本体１の対向する一対の壁体１ａ、１ｂを横断するように設けられるもので、本図のように複数枚設けたり、図示していないが、１枚とすることもできる。
【００３２】
室３は、ケース本体１内において、前述の仕切壁２により区画されていると共に、複数枚の同種の硬貨ｃ、ｃ、・・・を、該硬貨ｃの扁平面ｃ１が仕切壁２に平行であって硬貨ｃの厚さ方向に重ねて収納可能なもので、仕切壁２を挟んで複数設けられ、例えば、各室３、３、・・のそれぞれに収納可能な硬貨ｃの枚数は、区切りが良いように５の倍数（５枚若しくは１０枚など）とするのが好ましい。
【００３３】
底上部材４は、図３に示したように、隣り合う室３、３’（３）に収納された硬貨ｃの内、一方の室３に収納された硬貨ｃの高さが、他方の室３’（３）に収納された硬貨ｃ’（ｃ）の高さと異なるように、隣り合う室３、３’（３）のいずれかの室の底部に設けられるもので、例えば、図２に示したように、一対の壁体１ａ、１ｂに平行であって隣り合う仕切壁２、２の間を横断し、かつ、これら仕切壁２に接続され、ケース本体１内の底部から立設する２条の平行な突状片からなるように形成されている。このように底上部材４を設けることで、図６に示したように、収納されている硬貨ｃをケース本体１から取り出す際に、隣り合う室３、３’（３）の硬貨ｃ、ｃ’（ｃ）の高さが異なっている分、各室３ごとに収納された硬貨ｃ’（ｃ）をまとめて摘み易く、ケース本体１からスムーズに硬貨ｃ’（ｃ）を取り出すことができる。
【００３４】
また、図１〜図７に図示したコインケースＡにあっては蓋体５を備えているもので、この蓋体５は、ケース本体１に接合部材６を介して取り付けられ、該ケース本体１の開口部を開閉自在に覆うものである。この蓋体５には、図１に示したように、閉成時に該蓋体５が開いてケース本体１内の硬貨ｃ、ｃ、・・・が飛び出さないように、係合部５ｂを設けることができ、ケース本体１に設けられた突片１ｃにこの係合部５ｂを係合させて蓋体５が開かないようにすることができる。
【００３５】
なお、この蓋体５は、図４および図５（ａ）、（ｂ）に示したように、ケース本体１内の底部に底上部材４を有しない室３”（３）にあっては、ケース本体１内に収納された硬貨ｃのがたつきを防止できるように、蓋体５を閉じたときに硬貨ｃに向かって突出する突出部５ａを形成し、この突出部５ａにより硬貨ｃの上下動を規制するのが好ましい。
【００３６】
また、ケース本体１の下面または／および蓋体５の上面には、硬貨ｃが収納される室３に対応して段差を設けてもよいが、蓋体５を閉じたとき、コインケースＡ外周の凹凸を減らして容易に持ち運びを行うことができるように、例えば、突出部５ａが蓋体５内側において垂下する長さ（図５（ａ）参照）と、底上部材４がケース本体１の内底面から立設する高さ（図５（ｂ）参照）とが同じ寸法となるように構成し、蓋体５の上面とケース本体１の下面とが略平行となるようにしてもよい。
【００３７】
さらに、前述したケース本体１は、透明または顔料により着色された半透明のポリエチレン、ポリプロピレン、ポリカーボネイトなどの部材で形成し、図７に示したように、ケース本体１の外表面には、各室３のそれぞれに対応する部位に、ケース本体１に収納されている硬貨ｃの合計枚数に応じて硬貨ｃの合計枚数または／および合計金額（図７では合計金額を例示）を表示するようにしてもよい。
【００３８】
ところで、上述したコインケースＡでは、蓋体５を備えるものについて説明したが、図８および図９に示したように、蓋体を設けずにケース本体１上部を開放する構成にしてもよい。このようなコインケースＡにあっては、常時、テーブル等（不図示）に載置して使用するものであり、図１０に示したように、硬貨ｃの合計枚数または／および合計金額（図１０では合計金額を例示）を見易いケース本体１の外側面に表示するようにしてもよい。
【００３９】
次に、第２の実施例について図１１〜図１５を参照して説明する。図１１および図１２において、Ａ’は本考案に係るコインケースであり、コインケースＡ’は、第１の実施例とは対向する一対の壁体の数が異なるもので、ケース本体１０には、少なくとも２組の対向する一対の壁体とを有し、本図にあっては６の一対の壁体を有するものを例示している。
【００４０】
前述の２組の対向する一対の壁体は、第１の一対の壁体と第２の一対の壁体であり、図１１および図１２に図示したコインケースＡ’にあっては、例えば、符号１１が第１の一対の壁体であり、第１の一対の壁体１１は、対向する壁体１１ａと壁体１１ｂとにより構成され、符号１２が第２の一対の壁体であり、第２の一対の壁体１２は、対向する壁体１２ａと壁体１２ｂとにより構成されている。これら第１の一対の壁体１１と第２の一対の壁体１２とは、一の壁体（１１ｂ、１２ａ）を共通にして隣接している。
【００４１】
符号２１は第１の仕切壁であり、この第１の仕切壁２１は第１の一対の壁体１１を横断するように一または複数枚設けられている（図１１、図１２では２枚を例示）。また、符号３１は第１の室であり、第１の室は３１は、第１の仕切壁２１により区画されていると共に、複数枚の同種の硬貨ｃ（例えば、複数の１円硬貨）を、該硬貨ｃの扁平面ｃ１が第１の仕切壁２１に平行であって硬貨ｃの厚さ方向に重ねて収納可能なもので、第１の一対の壁体１１の間に複数形成されている。
【００４２】
また、図１３に示したように、隣り合う第１の室３１、３１’（３１）に収納された硬貨ｃの内、一方の第１の室３１に収納された硬貨ｃの高さが、他方の第１の室３１’（３１）に収納された硬貨ｃ’（ｃ）の高さと異なるように、隣り合う第１の室３１、３１’（３１）のいずれかの室の底部に第１の底上部材４１（図１２参照）が設けられている。
【００４３】
同様に、符号２２は第２の仕切壁であり、この第２の仕切壁２２は第２の一対の壁体１２を横断するように一または複数枚設けられている（図１１、図１２では２枚を例示）。また符号３２は第２の室であり、第２の室は３２は、第２の仕切壁２２により区画されていると共に、複数枚の同種の硬貨ｃ（例えば、複数の５円硬貨）を、該硬貨ｃの扁平面が第２の仕切壁２２に平行であって硬貨ｃの厚さ方向に重ねて収納可能なもので、第２の一対の壁体１２の間に複数形成されている。
【００４４】
また、図１２に示したように、隣り合う第２の室３２、３２’（３２）に収納された硬貨ｃの内、一方の第２の室３２に収納された硬貨ｃの高さが、他方の第２の室３２’（３２）に収納された硬貨ｃ’（ｃ）の高さと異なるように、隣り合う第２の室３２、３２’（３２）のいずれかの室の底部に第２の底上部材４２が設けられている。
【００４５】
また、図１１〜図１５に図示したコインケースＡ’にあっては蓋体５０を備えているもので、この蓋体５０は、ケース本体１０に接合部材６０を介して取り付けられ、該ケース本体１０の開口部を開閉自在に覆うものである。この蓋体５０には、図１１に示したように、閉成時に該蓋体５０が開いてケース本体１０内の硬貨ｃ、ｃ、・・・が飛び出さないように、係合部５０ｂ、５０ｂを設けることができ、ケース本体１０に設けられた突片１０ｃ、１０ｃに係合部５０ｂ、５０ｂを係合させて蓋体５０が開かないようにすることができる。
【００４６】
なお、この蓋体５０は、図１５（ａ）、（ｂ）に示したように、ケース本体１０内の底部に第１および第２の底上部材４１、４２のいずれをも有しない室３１”（３１）、３２”（３２）にあっては、ケース本体１０内に収納された硬貨ｃのがたつきを防止できるように、蓋体５０を閉じたときに硬貨ｃに向かって突出する突出部５０ａを形成し、この突出部５０ａにより硬貨ｃの上下動を規制するのが好ましい。
【００４７】
また、ケース本体１０の下面または／および蓋体５０の上面には、硬貨ｃが収納される第１および第２の室３１、３２に対応して段差を設けてもよいが、蓋体５０を閉じたとき、コインケースＡ’外周の凹凸を減らして容易に持ち運びを行うことができるように、例えば、突出部５０ａが蓋体５０内側において垂下する長さと、底上部材４０（図１４参照）がケース本体１０の内底面から立設する高さとが同じ寸法となるように構成し、蓋体５０の上面とケース本体１０の下面とが略平行となるようにしてもよい。
【００４８】
ところで、図１２に示したように、例えば、前述の第１の底上部材４１は、第１の一対の壁体１１に平行であって隣り合う第１の仕切壁２１、２１の間を横断し、かつ、これら第１の仕切壁２１に接続され、ケース本体１０内の底部から立設する２条の平行な突状片からなるように形成することができ、同様に、第２の底上部材４２は、第２の一対の壁体１２に平行であって隣り合う第１の仕切壁２２、２２の間を横断し、かつ、これら第２の仕切壁２２に接続され、ケース本体１０内の底部から立設する２条の平行な突状片からなるように形成することができる。
【００４９】
また、第１の仕切壁２１により区画された第１の室３１のそれぞれに収納可能な硬貨ｃの枚数、および、第２の仕切壁２２により区画された第２の室３２のそれぞれに収納可能な硬貨ｃの枚数は、区切りが良いようにいずれも５の倍数（５枚若しくは１０枚など）とするのが好ましい。
【００５０】
また、前述したケース本体１０は、第１の実施例と同様に、透明または半透明な部材で形成し、図示していないが、ケース本体１０の外表面に、第１および第２の室３１、３２のそれぞれに対応した部位に、ケース本体１０に収納されている同種の硬貨ｃの合計枚数に応じて各種それぞれの硬貨ｃの合計枚数または／および合計金額を表示するようにしてもよい。
【図面の簡単な説明】
【００５１】
【図１】本考案の第１の実施例のコインケースの概略的斜視図である。
【図２】図１の蓋体を開いたときの概略的平面図である。
【図３】図１のコインケースに硬貨を入れたときの概略的斜視図である。
【図４】図１の蓋体を閉成したときの概略的正面図である。
【図５】図４の概略的縦断面図であり、図５（ａ）は図４のＸ１−Ｘ１線で切断した図を、図５（ｂ）は図４のＸ２−Ｘ２線で切断した図をそれぞれ示している。
【図６】図１の使用状態を示した概略的正面図である。
【図７】図１の蓋体を閉成したときの概略的底面図である。
【図８】図１の変形例を示した概略的斜視図である。
【図９】図８の使用状態を示した概略的斜視図である。
【図１０】図８の使用状態を示した概略的正面図である。
【図１１】本考案の第２の実施例のコインケースの概略的斜視図である。
【図１２】図１１の蓋体を開いたときの概略的平面図である。
【図１３】図１１のコインケースに硬貨を入れたときの概略的斜視図である。
【図１４】図１１の使用状態を示した概略的正面図である。
【図１５】図１４の概略的縦断面図であり、図１５（ａ）は図１４のＹ１−Ｙ１線で切断した図を、図１５（ｂ）は図１４のＹ２−Ｙ２線で切断した図をそれぞれ示している。
【符号の説明】
【００５２】
Ａ、Ａ’      コインケース
ｃ、ｃ’      硬貨
１、１０      ケース本体
２            仕切壁
２１          第１の仕切壁
２２          第２の仕切壁
３            室
３１、３１’、３１”    第１の室
３２、３２’、３２”    第２の室
４            底上部材
４１          第１の底上部材
４２          第２の底上部材
５、５０      蓋体
５ａ、５０ａ  突出部
【図１】
0003148184.tif 000003
【図２】
0003148184.tif 000004
【図３】
0003148184.tif 000005
【図４】
0003148184.tif 000006
【図５】
0003148184.tif 000007
【図６】
0003148184.tif 000008
【図７】
0003148184.tif 000009
【図８】
0003148184.tif 000010
【図９】
0003148184.tif 000011
【図１０】
0003148184.tif 000012
【図１１】
0003148184.tif 000013
【図１２】
0003148184.tif 000014
【図１３】
0003148184.tif 000015
【図１４】
0003148184.tif 000016
【図１５】
0003148184.tif 000017